(57)【特許請求の範囲】
【請求項１】
アンカーキャリア及び１つ以上の関連づけられた二次キャリアを形成するために少なくとも２つのキャリアから１つのキャリア上に制御機能を集めることと、
少なくとも１つの“同期中”の指示に従って前記アンカーキャリア及び各々の二次キャリアのために通信リンクを確立することと、
前記アンカーキャリアに基づいて通信を制御することと
を備え、
前記通信リンクを確立することは、
前記キャリアのために第１の閾値数の物理層の“同期中”の指示を受信することによって各々のキャリアを物理チャネルと個々に同期させること、前記第１の閾値数の“同期中”の指示が前記キャリアのために受信されたときに各々の通信リンクは確立される、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
を備える
多重キャリア無線通信システムにおける無線リンクを制御する方法。
【請求項２】
前記通信リンクを確立することは、
前記二次キャリアのために任意の通信リンクを確立する前に前記アンカーキャリアのために通信リンクを確立すること
を備える、請求項１に記載の方法。
【請求項３】
任意の確立されたキャリア上でデータを受信することを更に備える、請求項１に記載の方法。
【請求項４】
第２の閾値数の“同期中”の指示が前記キャリアの各々のために受信された後にのみ任意の確立されたキャリア上でデータを受信することを更に備える、請求項１に記載の方法。
【請求項５】
第２の閾値数の“同期中”の指示が全体で全ての前記キャリアのために受信された後にのみ任意の確立されたキャリア上でデータを受信することを更に備える、請求項１に記載の方法。
【請求項６】
アンカーキャリア及び１つ以上の関連づけられた二次キャリアを形成するために少なくとも２つのキャリアから１つのキャリア上に制御機能を集めることと、
少なくとも１つの“同期中”の指示に従って前記アンカーキャリア及び各々の二次キャリアのために通信リンクを確立することと、
前記アンカーキャリアに基づいて通信を制御することと
を備え、
前記通信リンクを確立することは、
前記アンカーキャリアのために第１の閾値数の物理層“同期中”の指示を受信することによって前記アンカーキャリアを物理チャネルと同期させること
を備える、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
多重キャリア無線通信システムにおける無線リンクを制御する方法。
【請求項７】
前記二次キャリアの１つ以上の通信リンクは、前記第１の閾値数の“同期中”の指示が前記アンカーキャリアのために受信されたときに確立される、請求項６に記載の方法。
【請求項８】
前記通信リンクの全ては、前記第１の閾値数の“同期中”の指示が前記アンカーキャリアのために受信されたときに確立される、請求項６に記載の方法。
【請求項９】
前記アンカーキャリア通信リンクに従って前記アンカーキャリアのために無線リンク障害を評価することを更に備える、請求項１に記載の方法。
【請求項１０】
無線リンク障害を評価することは、
連続する物理層の“同期中”の指示のために前記アンカーキャリア通信リンクを監視することと、
閾値数の連続する物理層の“同期中”の指示が与えられた期間内に受信されない場合、前記アンカーキャリアのために無線リンク障害を引き起こすことと
を備える、請求項９に記載の方法。
【請求項１１】
前記アンカーキャリアのための前記無線リンク障害評価に従って前記関連づけられた二次キャリアのために無線リンク障害を評価することを更に備える、請求項９に記載の方法。
【請求項１２】
前記アンカーキャリアのために無線リンク障害を宣言することと、
前記二次キャリア通信リンクのうちの少なくとも１つを維持することと
を更に備える、請求項９に記載の方法。
【請求項１３】
前記少なくとも１つの二次キャリア通信リンクを維持する間、前記アンカーキャリア通信リンクを再確立することを試みることを更に備える、請求項１２に記載の方法。
【請求項１４】
前記再確立が前記アンカーキャリア通信リンクに対して失敗する場合、全ての関連づけられた二次キャリア通信リンクのために無線リンク失敗を宣言することを更に備える、請求項１３に記載の方法。
【請求項１５】
信号伝達無線ベアラ（ＳＢＲ）遅延及び電力制御（ＰＣ）プリアンブルを各々のキャリアのために受信することと、
前記対応するキャリアのために前記ＰＣプリアンブル中に示されたフレームの数の間に前記ＰＣプリアンブルを適用することと、
前記対応するキャリアのために前記ＳＢＲ遅延中に示されたフレームの数の間にデータを送ることを控えることと
を更に備える、請求項１に記載の方法。
【請求項１６】
アンカーキャリア及び１つ以上の関連づけられた二次キャリアを形成するために少なくとも２つのキャリアから１つのキャリア上に制御機能を集めるように構成されたロジックと、
少なくとも１つの“同期中”の指示に従って前記アンカーキャリア及び各々の二次キャリアのために通信リンクを確立するように構成されたロジックと、
前記アンカーキャリアに基づいて通信を制御するように構成されたロジックと
を備え、
前記通信リンクを確立するように構成された前記ロジックは、
前記キャリアのために第１の閾値数の物理層の“同期中”の指示を受信することによって各々のキャリアを物理チャネルとここに同期させるように構成されたロジック、前記第１の閾値数の“同期中”の指示が前記キャリアのために受信されたときに各々の通信リンクは確立される、
を備える、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
多重キャリア無線通信システムにおける無線リンクを制御する装置。
【請求項１７】
前記通信リンクを確立するように構成された前記ロジックは、
前記二次キャリアのために任意の通信リンクを確立する前に前記アンカーキャリアのために通信リンクを確立するように構成されたロジック
を備える、請求項１６に記載の装置。
【請求項１８】
任意の確立されたキャリア上でデータを受信するように構成されたロジックを更に備える、請求項１６に記載の装置。
【請求項１９】
アンカーキャリア及び１つ以上の関連づけられた二次キャリアを形成するために少なくとも２つのキャリアから１つのキャリア上に制御機能を集めるように構成されたロジックと、
少なくとも１つの“同期中”の指示に従って前記アンカーキャリア及び各々の二次キャリアのために通信リンクを確立するように構成されたロジックと、
前記アンカーキャリアに基づいて通信を制御するように構成されたロジックと
を備え、
前記通信リンクを確立するように構成された前記ロジックは、
前記アンカーキャリアのために前記第１の閾値数の物理層の“同期中”の指示を受信することによって前記アンカーキャリアを物理チャネルと同期させるように構成されたロジック
を備える、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
多重キャリア無線通信システムにおける無線リンクを制御する装置。
【請求項２０】
前記二次キャリアの１つ以上の通信リンクは、前記第１の閾値数の“同期中”の指示が前記アンカーキャリアのために受信されたときに確立される、請求項１９に記載の装置。
【請求項２１】
前記アンカーキャリア通信リンクに従って前記アンカーキャリアのために無線リンク障害を評価するように構成されたロジックを更に備える、請求項１６に記載の装置。
【請求項２２】
前記アンカーキャリアのための前記無線リンク障害評価に従って前記関連づけられた二次キャリアのために無線リンク障害を評価するように構成されたロジックを更に備える、請求項２１に記載の装置。
【請求項２３】
前記アンカーキャリアのために無線リンク障害を宣言するように構成されたロジックと、
前記二次キャリア通信リンクのうちの少なくとも１つを維持するように構成されたロジックと
を更に備える、請求項２１に記載の装置。
【請求項２４】
アンカーキャリア及び１つ以上の関連づけられた二次キャリアを形成するために少なくとも２つのキャリアから１つのキャリア上に制御機能を集める手段と、
少なくとも１つの“同期中”の指示に従って前記アンカーキャリア及び各々の二次キャリアのために通信リンクを確立する手段と、
前記アンカーキャリアに基づいて通信を制御する手段と
を備え、
前記通信リンクを確立する前記手段は、
前記キャリアのために第１の閾値数の物理層の”同期中”の指示を受信することによって各々のキャリアを物理チャネルと個々に同期させる手段、前記第１の閾値数の“同期中”の指示が前記キャリアのために受信されたときに各々の通信リンクは確立される、
を備える、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
多重キャリア無線通信システムにおける無線リンクを制御する装置。
【請求項２５】
前記通信リンクを確立する前記手段は、
前記二次キャリアのために任意の通信リンクを確立する前に前記アンカーキャリアのために通信リンクを確立する手段
を更に備える、請求項２４に記載の装置。
【請求項２６】
任意の確立されたキャリア上でデータを受信する手段を更に備える、請求項２４に記載の装置。
【請求項２７】
アンカーキャリア及び１つ以上の関連づけられた二次キャリアを形成するために少なくとも２つのキャリアから１つのキャリア上に制御機能を集める手段と、
少なくとも１つの“同期中”の指示に従って前記アンカーキャリア及び各々の二次キャリアのために通信リンクを確立する手段と、
前記アンカーキャリアに基づいて通信を制御する手段と
を備え、
前記通信リンクを確立する前記手段は、
前記アンカーキャリアのために第１の閾値数の物理層の“同期中”の指示を受信することによって前記アンカーキャリアを物理チャネルと同期させる手段
を備える、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
多重キャリア無線通信システムにおける無線リンクを制御する装置。
【請求項２８】
前記二次キャッリアの１つ以上の通信リンクは、前記第１の閾値数の“同期中”の指示が前記アンカーキャリアのために受信されたときに確立される、請求項２７に記載の装置。
【請求項２９】
前記アンカーキャリア通信リンクに従って前記アンカーキャリアのために無線リンク障害を評価する手段を更に備える、請求項２４に記載の装置。
【請求項３０】
前記アンカーキャリアのための前記無線リンク障害評価に従って前記関連づけられた二次キャリアのために無線リンク障害を評価する手段を更に備える、請求項２９に記載の装置。
【請求項３１】
前記アンカーキャリアのために無線リンク障害を宣言する手段と、
前記二次キャリア通信リンクのうちの少なくとも１つを維持する手段と
を更に備える、請求項２９に記載の装置。
【請求項３２】
プロセッサによって実行されるときに、多重キャリア無線通信システムにおける無線リンクを制御する動作を前記プロセッサに実行させるコードを備えるコンピュータ読み取り可能記憶媒体であって、
アンカーキャリア及び１つ以上の関連づけられた二次キャリアを形成するために少なくとも２つのキャリアから１つのキャリア上に制御機能を集めるためのコードと、
少なくとも１つの“同期中”の指示に従って前記アンカーキャリア及び各々の二次キャリアのために通信リンクを確立するためのコードと、
前記アンカーキャリアに基づいて通信を制御するためのコードと
を備え、
前記通信リンクを確立するための前記コードは、
前記キャリアのために第１の閾値数の物理層の”同期中”の指示を受信することによって各々のキャリアを物理チャネルと個々に同期させるためのコード、前記第１の閾値数の “同期中”の指示が前記キャリアのために受信されたときに各々の通信リンクは確立される、
を備える、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
コンピュータ読み取り可能記憶媒体。
【請求項３３】
前記通信リンクを確立するための前記コードは、
前記二次キャリアのために任意の通信リンクを確立する前に前記アンカーキャリアのために通信リンクを確立するためのコード
を備える、請求項３２に記載のコンピュータ読み取り可能記憶媒体。
【請求項３４】
任意の確立されたキャリア上でデータを受信するためのコードを更に備える、請求項３３に記載のコンピュータ読み取り可能記憶媒体。
【請求項３５】
プロセッサによって実行されるときに、多重キャリア無線通信システムにおける無線リンクを制御する動作を前記プロセッサに実行させるコードを備えるコンピュータ読み取り可能媒体であって、
アンカーキャリア及び１つ以上の関連づけられた二次キャリアを形成するために少なくとも２つのキャリアから１つのキャリア上に制御機能を集めるためのコードと、
少なくとも１つの“同期中”の指示に従って前記アンカーキャリア及び各々の二次キャリアのために通信リンクを確立するためのコードと、
前記アンカーキャリアに基づいて通信を制御するためのコードと
を備え、
前記通信リンクを確立するための前記コードは、
前記アンカーキャリアのために第１の閾値数の物理層の“同期中”の指示を受信することによって前記アンカーキャリアを物理チャネルと同期させるためのコード
を備える、
前記少なくとも１つの“同期中”の指示は、時間の期間内に閾値と前記アンカーキャリア及び各々の二次キャリアのための前記通信リンクの各々の１つ以上の電力制御ビットとを比較することに少なくとも一部基づいて得られる、
コンピュータ読み取り可能記憶媒体。
【請求項３６】
前記二次キャリアの１つ以上の通信リンクは、前記第１の閾値数の“同期中”の指示が前記アンカーキャリアのために受信されたときに確立される、請求項３５に記載のコンピュータ読み取り可能記憶媒体。
【請求項３７】
前記アンカーキャリア通信リンクに従って前記アンカーキャリアのために無線リンク障害を評価するためのコードを更に備える、請求項３２に記載のコンピュータ読み取り可能記憶媒体。
【請求項３８】
前記アンカーキャリアのための前記無線リンク障害評価に従って前記関連づけられた二次キャリアのために無線リンク障害を評価するためのコードを更に備える、請求項３７に記載のコンピュータ読み取り可能記憶媒体。
【請求項３９】
前記アンカーキャリアのために無線リンク障害を宣言するためのコードと、
前記二次キャリア通信リンクのうちの少なくとも１つを維持するためのコードと
を更に備える、請求項３７に記載のコンピュータ読み取り可能記憶媒体。
【発明の詳細な説明】
【優先権の主張】
【０００１】
本願は、本願の譲受人に譲渡され、参照によって本願に明確に組み込まれた２００９年４月１５日出願の“多重キャリアシステムにおける無線リンクを制御するための方法”と題された、米国特許仮出願６１／１６９，３１０号に対する優先権を主張する。
【技術分野】
【０００２】
本願は、無線通信に関係し、より特に、多重キャリア無線通信システムにおける無線リンクを制御するための技術に関係する。
【背景技術】
【０００３】
無線通信システムは、音声、パケットデータなどのような様々なタイプの通信を提供するために広く配置されている。これらのシステムは、符号分割多元接続（ＣＤＭＡ）、時分割多元接続（ＴＤＭＡ）、周波数分割多元接続（ＦＤＭＡ）、または他の多元接続技術に基づくかもしれない。このようなシステムは、第３世代パートナーシッププロジェクト２（３ｇｐｐ２、または“ｃｄｍａ２０００”）、第３世代パートナーシップ（３ｇｐｐ、または“Ｗ−ＣＤＭＡ”）、またはロングタームエボリューション（ＬＴＥ）のような標準に従うことができる。このような通信システムの設計において、利用可能なリソースが与えられ、システムが頼もしくサポートすることができるユーザの数、または容量を最大化することが望ましい。
【０００４】
本特許出願の装置及び方法は、先行技術の制限を克服こと及び多重キャリア無線通信システムのために改良された無線リンク制御を提供することに導かれる。
【概要】
【０００５】
記述される特徴は、改良されたアップリンク送信の多様性のための１つ以上の改良されたシステム、方法及び／または装置に一般に関する。
【０００６】
１つの実施形態は、多重キャリア無線通信システムにおける無線リンクを制御する方法に導かれる。アンカーキャリア及び１つ以上の関連づけられた二次キャリアを形成するために少なくとも２つのキャリアから１つのキャリア上に制御機能を集めること；アンカーキャリア及び各々の二次キャリアのために通信リンクを確立すること；及びアンカーキャリアに基づいて通信を制御することを備える方法。
【０００７】
別の実施形態は、多重キャリア無線通信システムにおける無線リンクを制御する装置に導かれる。その装置は、プロセッサと、アンカーキャリア及び１つ以上の関連づけられた二次キャリアを形成するために少なくとも２つのキャリアから１つのキャリア上に制御機能を集めるための命令；アンカーキャリア及び各々の二次キャリアのために通信リンクを確立するための命令；及びアンカーキャリアに基づいて通信を制御するための命令でプログラムされたプロセッサと電子通信するメモリとを備える。
【０００８】
別の実施形態は、多重キャリア無線通信システムにおける無線リンクを制御する装置に導かれる。その装置は、アンカーキャリア及び１つ以上の関連づけられた二次キャリアを形成するために少なくとも２つのキャリアから１つのキャリア上に制御機能を集める手段；アンカーキャリア及び各々の二次キャリアのために通信リンクを確立する手段；及びアンカーキャリアに基づいて通信を制御する手段を備える。
【０００９】
別の実施形態は、コンピュータにアンカーキャリア及び１つ以上の関連づけられた二次キャリアを形成するために少なくとも２つのキャリアから１つのキャリア上に制御機能を集めさせるためのコード；コンピュータにアンカーキャリア及び各々の二次キャリアのために通信リンクを確立させるためのコード；及びコンピュータにアンカーキャリアに基づいて通信を制御させるためのコードを備えるコンピュータ読み取り可能記憶媒体を備える多重キャリア無線通信システムにおける無線リンクを制御するためのコンピュータプログラム製品に導かれる。
【００１０】
記述される方法及び装置の適応性の更なる範囲は、次に続く詳細な記述、特許請求の範囲、及び図面から明白になるであろう。記述の精神及び範囲内での様々な変化及び変更は当業者に明白であるので、詳細な記述及び特定の例は、開示及び特許請求の範囲の好まれる例を示すと同時に、例証としてのみ与えられる。
【図面の簡単な説明】
【００１１】
開示される方法及び装置の特徴、目的、及び利点は、同様な参照符号が相応して至る所で識別する図面と併せて利用されるときに下に説明される詳細な記述からより明白になるであろう。ここで、
【図１】図１は、コア及びユーザ装置に対するそのインタフェースとともに２つの無線ネットワークサブシステムを持つ無線アクセスシステムのブロック図である；
【図２】図２は、セルラー通信システムの簡単にされた描写である；
【図３】図３は、下にここで詳しく述べられ、ここで特に、パケットネットワークインタフェースを備える無線ネットワークコントローラインタフェース及びノードＢ；は無線ネットワークコントローラ及びノードＢを含む、通信システムの一部である；
【図４】図４は、ユーザ装置（ＵＥ）のブロック図である；
【図５】図５は、送信機の構造を通った信号の機能ブロックフロー図である；
【図６】図６は、１つの実施形態に従って物理チャネルをグループ化することによって多重キャリア無線通信システムにおける無線リンクを制御する方法を例証する；
【図７】図７は、ＣＥＬＬ＿ＤＣＨ状態中の確立基準を用いて専用物理チャネルを確立するためのフロー図である；
【図８】図８は、一例の電力制御手順を例証する；
【図９】図９は、ＲＬＦ基準に従って無線リンク障害（ＲＬＦ）を決定し、無線リンク障害に応答するためのフロー図を例証する；
【図１０】図１０は、多重キャリアのための一例の変更された無線リンク障害手順を例証する。
【詳細な説明】
【００１２】
添付された図面に関して下に説明される詳細な記述は、典型的な例を記述し、実現されることができるまたは特許請求の範囲の範囲内である唯一の例を表さない。この記述の至る所で使用される用語“典型的な”は、“例、実例、または例証として役に立つこと”を意味し、他の例を超えて好まれるまたは有利であるとして必ずしも解釈されるべきではない。詳細な記述は、記述される方法及び装置の完全な理解を提供する目的のために特定の細部を含む。しかしながら、その方法及び装置がこれらの特定な細部なく実行されることができるということは、当業者に明白であろう。いくつかの実例において、よく知られている構造及びデバイスは、記述される方法及び装置の概念を不明瞭にすることを避けるためにブロック図形式中に示される。
【００１３】
マルチキャリアシステム
本開示の原理が適用されることができるユニバーサルモバイルテレコミュニケーションシステム（ＵＭＴＳ）に従って動作する無線ネットワークの一例が図１−４に関してここに更に記述される。ノードＢ１１０、１１１、１１４及び無線ネットワークコントローラ１４１−１４４は、“無線ネットワーク”、“ＲＮ”、“アクセスネットワーク（ＡＮ）”と称されるネットワークの部分である。無線ネットワークは、ＵＭＴＳ陸上無線アクセスネットワーク（ＵＴＲＡＮ：UTRAN Terrestrial Radio Access Network）であることができる。ＵＭＴＳ陸上無線アクセスネットワーク（ＵＴＲＡＮ）は、ＵＭＴＳ無線アクセスネットワークを構成する、それが含むノードＢ（または無線ネットワークコントローラ（ＲＮＣ））のための制御装置及びノードＢ（または基地局）に対する総称である。これは、リアルタイムの回路交換及びＩＰに基づくパケット交換方式のトラフィックタイプの両方を搬送することができる３Ｇ通信ネットワークである。ＵＴＲＡＮは、ユーザ装置（ＵＥ）１２３−１２７のためのエアーインタフェースアクセス方法を提供する。接続性は、ＵＴＲＡＮによるコアネットワーク及びＵＥ（ユーザ装置）の間で提供される。無線ネットワークは、多数のユーザ装置デバイス１２３−１２７の間でデータパケットを運送することができる。
【００１４】
ＵＴＲＡＮは、４つのインタフェース：Ｉｕ、Ｕｕ、Ｉｕｂ及びＩｕｒによって他の機能エンティティに内部または外部で接続される。ＵＴＲＡＮは、Ｉｕと称される外部のインタフェースを経てＧＳＭ（登録商標）コアネットワーク１２１に取り付けられる。１４１、１４２が図１中に示されている、無線ネットワークコントローラ（ＲＮＣ）１４１−１４４（図２中に示されない）は、このインタフェースをサポートする。加えて、ＲＮＣ１４１−１４４は、Ｉｕｂとラベルと付けられたインタフェースを通ってノードＢと称される基地局の組を管理する。Ｉｕｒインタエースは、２つのＲＮＣ１４１−１４２を互いに接続する。ＲＮＣ１４１−１４４はＩｕｒインタフェースによって相互接続されているので、ＵＴＲＡＮは、コアネットワーク１２１から大部分は自立している。図１は、ＲＮＣ、ノードＢ及びＩｕ及びＵｕインタフェースを使用する通信システムを開示する。Ｕｕはまた、外部にあり、ノードＢ１１０、１１１、１１４をＵＥ１２３−１２７と接続する一方で、Ｉｕｂは、ＲＮＣ１４２−１４４をノードＢ１１０、１１１、１１４と接続する内部インタフェースである。
【００１５】
無線ネットワークは、企業イントラネット、インターネット、または上で述べられたような従来の公衆交換電話網のような、無線ネットワークの外側の付加的なネットワークに更に接続されることができ、各々のユーザ装置デバイス１２３−１２７及びこのような外側のネットワークの間でデータパケットを運送することができる。
【００１６】
図２は、通信ネットワーク１００の選択された構成要素を例証する。それは、ノードＢ（または基地局または無線基地トランシーバ局）１１０、１１１、及び１１４と連結された無線ネットワークコントローラ（ＲＮＣ）（または基地局コントローラ（ＢＳＣ））１４１−１４４を含む。ノードＢ１１０、１１１、１１４は、対応する無線接続１５５、１６７、１８２、１９２、１９３、１９４を通ってユーザ装置（または遠隔局）１２３−１２７と通信する。通信チャネルは、ノードＢ１１０、１１１、１１４からユーザ装置（ＵＥ）１２３−１２７への送信のための送信リンク（ＦＬ）（またダウンリンクとして知られる）及びＵＥ１２３−１２７からノードＢ１１０、１１１、１１４への送信のための逆方向リンク（ＲＬ）（またアップリンクとして知られる）を含む。ＲＮＣ１４１−１４４は、１つ以上のノードＢのための制御機能性を提供する。無線ネットワークコントローラ１４１−１４４は、移動通信交換局（ＭＳＣ）１５１を通って公衆交換電話網（ＰＳＴＮ）１４８に連結される。別の例において、無線ネットワークコントローラ１４１−１４４は、パケットデータサーバノード（ＰＤＳＮ）（示されない）を通ってパケット交換網（ＰＳＮ）（示されない）に連結される。無線ネットワークコントローラ１４１−１４４及びパケットデータサーバノードのような、様々なネットワーク要素間でのデータ交換は、任意の数のプロトコル、例えば、インターネットプロトコル（ＩＰ）、非同期転送モード（ＡＴＭ）プロトコル、Ｔ１、Ｅ１、フレームリレー、または他のプロトコルを使用して実現されることができる。
【００１７】
各々のＲＮＣは、多数の役割を満たす。まず、それは、ノードＢを使用することを試みる新しい移動体またはサービスの承認を制御することができる。次に、ノードＢ、または基地局の観点から、ＲＮＣは、制御するＲＮＣである。承認を制御することは、ネットワークが利用可能にするもの次第で移動体が無線リソース（帯域幅及び信号／ノイズ比）を配分されるということを保証する。ＲＮＣは、ノードＢのＩｕｂインタフェースが終える場所である。ＵＥ、または移動体の観点から、ＲＮＣは、それが移動体のリンク層通信を終えるサービングＲＮＣ（serving RNC）の役を務める。サービングＲＮＣはまた、そのＩｕインタフェースを通してコアネットワークを使用することを試みる新しい移動体またはサービスの承認を制御する。
【００１８】
エアーインタフェースのために、ＵＭＴＳは、広帯域符号分割多元接続（またはＷ−ＣＤＭＡ）として知られる広帯域スペクトル拡散モバイルエアーインタフェースを通常使用する。Ｗ−ＣＤＭＡは、ユーザを切り離すために直接シーケンス符号分割多元接続信号法（またはＣＤＭＡ）を使用する。Ｗ−ＣＤＭＡ（広帯域符号分割多元接続）は、移動体通信のための第３世代標準である。Ｗ−ＣＤＭＡは、ＧＳＭ（グローバルシステムフォーモバイルコミュニケーション）／ＧＰＲＳから第２世代標準を進化させた。それは、制限されたデータ容量とともに音声通信に適応させられた。Ｗ−ＣＤＭＡの第１の商業展開は、Ｗ−ＣＤＭＡリリース９９と称される標準のバージョンに基づく。
【００１９】
リリース９９の仕様書は、アップリンクパケットデータを可能にするための２つの技術を定義する。通常、データ送信は、専用チャネル（ＤＣＨ）またはランダムアクセスチャネル（ＲＡＣＨ）のどちらか一方を使用してサポートされる。しかしながら、ＤＣＨは、パケットデータサービスのサポートのための一次チャネルである。各々の遠隔局１２３−１２７は、直交可変拡散率（ＯＶＳＦ）符号を使用する。ＯＶＳＦ符号は、個々の通信チャネルを独自に識別することを容易にする直交符号である。加えて、マイクロ多様性（micro diversity）は、ソフトハンドオーバ（soft handover）を使用してサポートされ、閉ループ電力制御は、ＤＣＨとともに用いられる。
【００２０】
擬似ランダムノイズ（ＰＮ）シーケンスは、送信されたパイロット信号を含む、送信されたデータを広げるためにＣＤＭＡシステム中で一般に使用される。ＰＮシーケンスの単一の値を送信するために必要とされる時間は、チップとして知られている。そして、そのチップが変えるレートは、チップレートとして知られている。ノードＢ１１０、１１１、１１４のこれらに対してそのＰＮシーケンスを調整する受信機は、直接シーケンスＣＤＭＡシステムの設計中で固有である。Ｗ−ＣＤＭＡ標準によって定義されたもののような、いくつかのシステムは、一次スクランブリング符号として知られる、各々に対してユニークなＰＮ符号を使用して基地局１１０、１１１、１１４を区別する。Ｗ−ＣＤＭＡ標準は、ダウンリンクをスクランブルするための２つのゴールド符号シーケンス、同相の構成要素（Ｉ）のための一方及び直角位相（Ｑ）のための他方を定義する。Ｉ及びＱ ＰＮシーケンスはともに、データ変調なくセルの至る所でブロードキャストである。このブロードキャストは、共通パイロットチャネル（ＣＰＩＣＨ）として言及される。生成されたＰＮシーケンスは、３８，４００チップの長さに切り詰められる。３８，４００チップの期間は、無線フレームとして言及される。各々の無線フレームは、スロットとして言及される１５等分に分割される。Ｗ−ＣＤＭＡノードＢ１１０，１１１、１１４は、互いに関して非同期的に動作する。したがって、１つの基地局１１０、１１１、１１４のフレームタイミングの知識は、任意の他のノードＢ１１０、１１１、１１４のフレームタイミングの知識に変わらない。この知識を取得するために、Ｗ−ＣＤＭＡシステムは、動機チャネル及びセル検索技術を使用する。
【００２１】
ＨＳＰＡ
３ＧＰＰリリース５後は、高速ダウンリンクパケットアクセス（ＨＳＤＰＡ）をサポートする。３ＧＰＰリリース６後は、高速アップリンクパケットアクセス（ＨＳＵＰＡ）をサポートする。ＨＳＤＰＡ及びＨＳＵＰＡは、それぞれ、ダウンリンク及びアップリンク上で高速パケットデータを可能にする手順及びチャネルのセットである。リリース７ＨＳＰＡ＋は、データレートを改良するために３つの増強を使用する。第１に、それは、ダウンリンク上での２ｘ２ＭＩＭＯのためのサポートを導入した。ＭＩＭＯで、ダウンリンク上でサポートされるピークデータレートは、２８Ｍｂｐｓである。第２に、高位変調がダウンリンク上で導入される。ダウンリンク上での６４ＱＡＭの使用は、２１Ｍｂｐｓのピークデータレートを許可する。第３に、高位変調がアップリンク上で導入される。アップリンク上での１６ＱＡＭの使用は、１１Ｍｂｐｓのピークデータレートを許可する。
【００２２】
ＨＳＵＰＡにおいて、ノードＢ１１０、１１１、１１４は、いくつかのユーザ装置デバイス１２３−１２７がある電力レベルで同時に送信することを許可する。これらの許可は、短期間（数十ｍｓ毎）にリソースを配分する速いスケジューリングアルゴリズムを使用することによってユーザに割り当てられる。ＨＳＵＰＡの速いスケジューリングは、パケットデータのバースト的な性質によく適している。高い活動の期間の間、ユーザは、利用可能なリソースのより大きいパーセンテージを得ることができる一方で、低い活動の期間の間ではほとんどまたは全く帯域幅を得ない。
【００２３】
３ＧＰＰリリース５ＨＳＤＰＡにおいて、アクセスネットワークのベーストランシーバ局１１０、１１１、１１４は、高速共有制御チャネル（ＨＳ−ＳＣＣＨ）上でダウンリンクデータと関連付けられた制御情報、及び高速ダウンリンク共有チャネル（ＨＳ−ＤＳＣＨ）上でダウンリンクペイロードデータをユーザ装置デバイス１２３−１２７に送る。データ送信のために使用される２５６直交可変拡散率（ＯＶＳＦまたはウォルシュ（Walsh））符号がある。ＨＳＤＰＡシステムにおいて、これらの符号は、セルラー電話方式（音声）のために典型的に使用されるリリース１９９９（レガシーシステム）符号、及びデータサービスのために使用されるＨＳＤＰＡ符号に分割される。各々の送信時間間隔（ＴＴＩ）のために、ＨＳＤＰＡ可能なユーザ装置デバイス１２３−１２７に送られる専用の制御情報は、ダウンリンクペイロードデータの送信のために使用されるであろう変調、及びダウンリンクペイロードをデバイスに送るために符号空間内のどの符号が使用されるかをそのデバイスに示す。
【００２４】
ＨＳＤＰＡの動作で、ユーザ装置デバイス１２３−１２７に対するダウンリンク送信は、１５の利用可能なＨＳＤＰＡ ＯＶＳＦ符号を使用して異なる送信時間間隔に予定されることができる。与えられたＴＴＩのために、各々のユーザ装置デバイス１２３−１２７は、ＴＴＩの間にデバイスに配分されたダウンリンク帯域幅に依存して、１５のＨＳＤＰＡ符号の１つ以上を使用することができる。
【００２５】
ＭＩＭＯ
ＭＩＭＯシステムにおいて、送信及び受信アンテナからのＭ（受信アンテナの＃）×Ｎ（送信アンテナの＃）の信号パスがあり、これらのパス上の信号は同一でない。ＭＩＭＯは、多数のデータ送信パイプを生成する。パイプは、時空領域中で直交である。パイプの数は、そのシステムのランクに等しい。これらのパイプは時空領域中で直交であるので、それらは、互いにほとんど干渉を生成しない。データパイプは、ＮｘＭのパス上で信号を適切に組み合わせることによって適切なデジタル信号処理とともに実現される。送信パイプがアンテナ送信チェーンまたは任意の１つの特別の送信パスに対応しないということは特に言及される。
【００２６】
通信システムは、単一のキャリア周波数または多数のキャリア周波数を使用することができる。各々のリンクは、異なる数のキャリア周波数を組み入れることができる。更に、アクセス端末１２３−１２７は、例えば光ファイバまたは同軸ケーブルを使用して、無線チャネルを通してまたは有線チャネルを通して通信する任意のデータデバイスであることができる。アクセス端末１２３−１２７は、ＰＣカード、コンパクトフラッシュ（登録商標）、外部または内部モデム、または無線またはワイヤライン電話に制限されないが、これらを含む多くのタイプのデバイスのいずれかであることができる。アクセス端末１２３−１２７はまた、ユーザ装置（ＵＥ）、遠隔局、移動局または加入者局として知られている。また、ＵＥ１２３−１２７は、移動性があるかもしれないし、動かないかもしれない。
【００２７】
１つ以上のノードＢ１１０、１１１、１１４との活動的なトラフィックチャネル接続を確立するユーザ装置１２３−１２７は、活動的なユーザ装置１２３−１２７と呼ばれ、トラフィック状態にあると言われる。１つ以上のノードＢ１１０、１１１、１１４との活動的なトラフィックチャネル接続を確立する処理中にあるユーザ装置１２３−１２７は、接続セットアップ状態にあると言われる。ユーザ装置１２３−１２７が信号をノードＢ１１０、１１１、１１４に送る通信リンクは、アップリンクと呼ばれる。ノードＢ１１０、１１１、１１４が信号をユーザ装置１２３−１２７に送る通信リンクは、ダウンリンクと呼ばれる。
【００２８】
図３は、下にここで詳しく述べられる。ここで、特に、ノードＢ１１０、１１１、１１４及び無線ネットワークコントローラ１４１−１４４は、パケットネットワークインタフェース１４６と連結する。（図３において、ノードＢ１１０、１１１、１１４のうちの１つのみ及びＲＮＣ１４１−１４４のうちの１つのみが簡単のために示されるということを特に言及する。）ノードＢ１１０、１１１、１１４及び無線ネットワークコントローラ１４１−１４４は、１つ以上のノードＢ１１０、１１１、１１４及び無線ネットワークコントローラ１４１−１４４を囲っている点線として図１中及び図３中に示される、無線ネットワークサーバ（ＲＮＳ）６６の部分であることができる。送信されるためのデータの関連づけられた量は、ノードＢ１１０、１１１、１１４中のデータキュー１７２から読み出され、データキュー１７２と関連づけられたユーザ装置１２３−１２７に対する送信のためにチャネル要素１６８に提供される。
【００２９】
無線ネットワークコントローラ１４１−１４４は、移動通信交換局１５１、１５２を通って公衆交換電話網（ＰＳＴＮ）１４８とインタフェースで連結する。また、無線ネットワークコントローラ１４１−１４４は、通信システム１００においてノードＢ１１０、１１１、１１４とインタフェースで連結する（簡単のために１つのノードＢ１１０、１１１、１１４のみが図２中に示される）。加えて、無線ネットワークコントローラ１４１−１４４は、パケットネットワークインタフェース１４６と連結する。無線ネットワークコントローラ１４１−１４４は、通信システム中のユーザ装置１２３−１２７とパケットネットワークインタフェース１４６及びＰＳＴＮ１４８に接続された他のユーザとの間で通信を調整する。ＰＳＴＮ１４８は、標準電話ネットワーク（図３中に示されない）を通ってユーザとインタフェースで連結する。
【００３０】
無線ネットワークコントローラ１４１−１４４は、簡単のために１つのみが図３中に示されるが、多くのセレクタ要素１３６を含む。各々のセレクタ要素１３６は、１つ以上のノードＢ１１０、１１１、１１４と１つの遠隔局１２３−１２７（示されない）との間で通信を制御するために割り当てられる。セレクタ要素１３６が与えられたユーザ装置１２３−１２７に割り当てられていない場合、コール制御プロセッサ１４０は、ユーザ装置１２３−１２７を呼び出すために要求を通知される。コール制御プロセッサ１４０は、ユーザ装置１２３−１２７を呼び出すためにノードＢ１１０、１１１、１１４をそのとき導く。
【００３１】
データデータ送信装置１２２は、データの量を含む。それは、与えられたユーザ装置１２３−１２７に送信されるべきである。データ送信装置１２２は、データをパケットネットワークインタフェース１４６に提供する。パケットネットワークインタフェース１４６は、データを受信し、そのデータをセレクタ要素１３６に送る。セレクタ要素１３６は、ターゲットユーザ装置１２３−１２７と通信してデータをノードＢ１１０、１１１、１１４にそのとき送信する。１つの例において、各々のノードＢ１１０、１１１、１１４は，ユーザ装置１２３−１２７に送信されるべきデータを記憶するデータキュー１７２を維持する。
【００３２】
各々のデータパケットのために、チャネル要素１６８は、必要な制御フィールドを差し込む。１つの例において、チャネル要素１６８は、周期的冗長検査、ＣＲＣ、データパケット及び制御フィールドの符号化を実行し、１組の符号後部ビットを差し込む。データパケット、制御フィールド、ＣＲＣパリティビット、及び符号後部ビットは、フォーマットされたパケットを備える。チャネル要素１６８は、フォーマットされたパケットをそのとき符号化し、符号化されたパケット内でシンボルをインタリーブする（順序付ける）。インタリーブされたパケットは、ウォルシュ符号とともにカバーされ、短いＰＮＩ及びＰＮＱ符号とともに拡散される。拡散されたデータは、信号を直交変調する、フィルタリングする、及び増幅するＲＦユニット１７０に提供される。ダウンリンク信号は、アンテナを通って無線でダウンリンクに送信される。
【００３３】
ユーザ装置１２３−１２７で、ダウンリンク信号は、アンテナによって受信され、受信機によって送られる。受信機は、信号をフィルタリングし、増幅し、直交復調し、量子化する。デジタル化された信号が短いＰＮＩ及びＰＮＱ符号とともに逆拡散され（despread）、ウォルシュカバーとともにデカバー（decover）された場合、デジタル化された信号は、復調器（ＤＥＭＯＤ）に提供される。復調されたデータは、ノードＢ１１０、１１１，１１４でされた信号処理機能の逆、特にデインタリーブ、復号、及びＣＲＣチェック機能を実行する復号器に提供される。復号されたデータは、データシンクに提供される。
【００３４】
図４は、ＵＥ１２３−１２７が送信回路１６４（ＰＡ１０８を含む）、受信回路１０９、電力コントローラ１０７、復号プロセッサ１５８、処理信号における使用のための処理ユニット１０３、及びメモリを含むユーザ装置（ＵＥ）１２３−１２７の一例を例証する。送信回路１６４及び受信回路１０９は、ＵＥ１２３−１２７と遠隔地との間で、オーディオ通信のような、データの送信及び受信を許可することができる。送信回路１６４及び受信回路１０９は、アンテナ１１８に連結されることができる。
【００３５】
処理ユニット１０３は、ＵＥ１２３−１２７の動作を制御する。処理ユニット１０３はまた、ＣＰＵとして言及されることができる。リードオンリーメモリ（ＲＯＭ）及びランダムアクセスメモリ（ＲＡＭ）の両方を含むことができる、メモリ４１６は、処理ユニット１０３に対して命令及びデータを提供する。メモリ１１６の一部はまた、不揮発性ランダムアクセスメモリ（ＮＶＲＡＭ）を含むことができる。
【００３６】
ＵＥ１２３−１２７の様々な構成要素は、データバスに加えて電力バス、制御信号バス、及びステータス信号バスを含むことができるバスシステムによってともに連結される。明瞭さのために、様々なバスシステムがバスシステム１３０として図４中に例証される。
【００３７】
議論される方法のステップはまた、図３中に示されるように、ノードＢ１１０、１１１、１１４中のメモリ１６１中に置かれるソフトウェアまたはファームウェア４３の形式において命令として記憶されることができる。これらの命令は、図３中のノードＢ１１０，１１１、１１４の制御ユニット１６２によって実行されることができる。代替的に、または併せて、議論される方法のステップは、ＵＥ１２３−１２７中のメモリ１１６中に置かれるソフトウェアまたはファームウェア４２の形式において命令として記憶されることができる。これらの命令は、図４中のＵＥ１２３−１２７の処理ユニット１０３によって実行されることができる。
【００３８】
図５は、送信機の構造及び／または処理の一例を例証する。それは、例えばユーザ装置１２３−１２７で、実現されることができる。図５中に示される機能及び構成要素は、ソフトウェア、ハードウェア、またはソフトウェア及びハードウェアの組み合わせによって実現されることができる。他の機能は、図５中に示される機能に加えてまたは図５中に示される機能の代わりに図５に加えられることができる。
【００３９】
図５において、データ送信装置２００は、データｄ（ｔ）または２００ａをＦＱＩ／符号器２０２に提供する。ＦＱＩ／符号器２０２は、周期的冗長検査（ＣＲＣ）のようなフレーム品質インジケータ（ＦＱＩ：frame quality indicator）をデータｄ（ｔ）に付加することができる。ＦＱＩ／符号器２０２は、符号化されたシンボル２０２ａを提供するために１つ以上の符号化スキームを使用してそのデータ及びＦＱＩを更に符号化することができる。各々の符号化スキームは、１つ以上のタイプの符号化、例えば、畳み込み符号化、ターボ符号化、ブロック符号化、繰り返し符号化、他のタイプの符号化を含むかもしれないし、または全く符号化を含まないかもしれない。他の符号化スキームは、自動再送要求（ＡＲＱ）、ハイブリッドＡＲＱ（Ｈ−ＡＲＱ）、及び増分冗長再送技術を含むことができる。異なるタイプのデータは、異なる符号化スキームとともに符号化されることができる。
【００４０】
インタリーバ２０４は、フェーディングと戦うために時間内に符号化されたデータシンボル２０２ａをインタリーブし、シンボル２０４ａを生成する。信号のインタリーブされたシンボル２０４ａは、フレーム２０５ａを作り出すために予め定義されたフレームフォーマットにフレームフォーマットブロック２０５によってマッピングされることができる。一例において、フレームフォーマットは、多数のサブセグメントからなるとしてフレームを明示することができる。サブセグメントは、与えられた次元、例えば、時間、周波数、符号、または任意の他の次元に沿ってフレームの任意の連続する部分であることができる。フレームは、固定された多数のこのようなサブセグメント、フレームに配分された全体の数のシンボルの一部を含む各々のサブセグメントからなることができる。例えば、Ｗ−ＣＤＭＡ標準に従うと、サブセグメントは、スロットとして定義されることができる。ｃｄｍａ２０００に従うと、サブセグメントは、電力制御グループ（ＰＣＧ）として定義されることができる。１つの例において、インタリーブされたシンボル２０４ａは、フレーム２０５ａを構成する多数のＳのサブセグメントに分割される。
【００４１】
フレームフォーマットは、インタリーブされたシンボル２０４ａと一緒に例えば制御シンボル（示されない）の包含を更に明示することができる。このような制御シンボルは、例えば、電力制御シンボル、フレームフォーマット情報シンボル等を含むことができる。
【００４２】
変調器２０６は、変調されたデータ２０６ａを生成するためにフレーム２０５ａを変調する。変調技術の例は、二位相偏移変調（ＢＰＳＫ）及び四位相偏移変調（ＱＰＳＫ）を含む。変調器２０６はまた、変調されたデータのシーケンスを繰り返すことができる。
【００４３】
帯域幅・無線周波数（ＲＦ）変換ブロック２０８は、変調された信号２０６ａを、１つ以上のノードＢ局受信機への無線通信リンクによる信号２１０ａとしてのアンテナ２１０を経た送信のためのＲＦ信号に変換することができる。
【００４４】
マルチキャリア機能性をＷ−ＣＤＭＡに加えるとき、特に多数のアップリンクが複雑であるとき、多数の電力制御ループを始める方法、及びコールを監視されたままにする方法（すなわち、無線リンク障害（ＲＬＦ）監視）の問題がある。付加的なキャリアは、ＵＥダウンリンク上での処理負荷、アップリンク上での干渉、及びより高い現行消費を生成する。従って、“アンカーキャリア”上で重要な機能を集めるための技術がここに開示される。これらのアンカーキャリアの何れかは、コールを生かしておくために十分であるかもしれない。非アンカーキャリアはそれらを加えて監視するために付加的な処理をまだ必要とするかもしれないが、それらは、コールの生存のために重要でない。ここに開示される技術の１つの利点は、生存機能が１つのキャリアまたはキャリアのサブセット中に集中されるときにそれらがいくつかのキャリアを取り除くための能力を高めるということである。
【００４５】
様々な実施形態に従うと、ここに記述されるＵＥ１２３−１２７は、図６−９に関して下に記述されるように様々な無線リンク制御動作を実行するように構成されることができる。
【００４６】
物理チャネルのグルーピング
様々な実施形態に従うと、マルチキャリアシステム中で動作するＵＥ１２３−１２７は、同じキャリア上で、制御及びフィードバック機能のような、多数のキャリアのある昨日を集めるように構成される。それは、“アンカーキャリア”として言及されることができる。サポートのためにアンカーキャリアに今依存する残りのキャリアは、関連づけられた二次キャリアとして言及される。例えば、ＵＥ１２３−１２７は、オプション的な専用チャネル（ＤＣＨ）、所定外の許可、及び高速専用物理制御チャネル（ＨＳ−ＤＰＣＣＨ）によって提供されるもののような制御機能を集めることができる。ＨＳ−ＤＰＣＣＨは、制御目的のために使用されるアップリンク符号チャネルである。それは、必ずしも他のＷ−ＣＤＭＡアップリンクチャネルと提携されるまたは連続的に送信される時間ではない。結果として、それは、専用アップリンクチャネル、専用物理制御チャネル（ＤＰＣＣＨ）及び専用物理データチャネル（ＤＰＤＣＨ）に対する変化する電力関係を有している。ＤＰＤＣＨは、より高い層の信号伝達（例えば、非アクセス層（ＮＡＳ）信号伝達及び無線リソース制御（ＲＲＣ））と同様のペイロード（例えば、音声及びＩＰデータ）が送信される無線インタフェース（Ｕｕ）上の物理チャネルである。信号伝達及びペイロードは、ノードＢ１１０、１１１、１１４に対してＵＥ１２３−１２７によってアップリンク上で、及びＵＥ１２３−１２７に対してノードＢ１１０、１１１、１１４によってダウンリンク上で両方送信されることができる。
【００４７】
いくつかの実施形態において、多数のアンカーキャリアがあるかもしれない。加えて、非アンカーキャリアは、Ｗ−ＣＤＭＡのための３ＧＰＰ技術仕様書２５．３３１中のような、層２手順であるＲＬＦ手順及び物理チャネル確立を含む、ＵＥ１２３−１２７の基礎動作に影響を及ぼすことなく加えられるかもしれないし、または取り除かれるかもしれない。
【００４８】
図６は、１つの例に従って物理チャネルをグループ分けすることによって多重キャリア無線通信システム中で無線リンクを制御する方法を例証する。示されるように、その方法は、アンカーキャリア及び１つ以上の関連づけられた二次キャリアを形成するために少なくとも２つのキャリアから１つのキャリア上に制御機能を集めること（ステップ６０５）；アンカーキャリア及び各々の二次キャリアのために通信リンクを確立すること（ステップ６１０）；及びアンカーキャリアに基づいて通信を制御すること（ステップ６１５）を備える。
【００４９】
物理チャネル確立
ＵＴＲＡＮは、ＵＥ１２３−１２７を多くのＲＲＣ状態の間での移行に導くことができる。１つのこのような状態は、Ｃｅｌｌ＿ＤＣＨ状態である。Ｃｅｌｌ＿ＤＣＨ状態において、専用チャネル（ＤＣＨ）は、アップリンク及びダウンリンクのためにＵＥ１２３−１２７に配分される。多数のキャリアアップリンク上での送信は、並行してまたは連続的に、どちらか一方で開始されることができる。二次キャリア上での最初の送信電力は、開ループ方法において決定されるかもしれないし、または最初の送信電力のための可能な電力余裕をプラスしたアンカーアップリンク上の送信と同じものであるために必要とされるかもしれない。
【００５０】
図７は、ＣＥＬＬ＿ＤＣＨ状態において確立基準を使用して専用物理チャネルを確立するためのフロー図である。ＵＥ１２３−１２７は、タイマＴ３１２を開始する（ステップ７０５）こと及び閾値数、Ｎ３１２の“同期中”の指示を示す（ステップ７１０）ために層１（すなわち、物理層）を待つことによって物理専用チャネル確立を始める。“同期中”の指示は、例えば、電力制御ビットの品質の情報（例えば、信号対雑音比）から引き出されることができる。電力制御ビットの品質が時間の与えられた期間のための与えられた閾値の上にある場合、チャネルは、“同期中”であることを決定されることができ、“同期中”の指示が送られる。Ｎ３１２の“同期中”の指示を受信すると、物理チャネルは、確立されたと考えられ、タイマＴ３１２は、停止及びリセットされる（ステップ７１５）。物理チャネルが確立される前にタイマＴ３１２が終了する場合（ステップ７２０）、ＵＥ１２３−１２７は、“物理チャネル障害”としてこれを考慮することができる（ステップ７２５）。
【００５１】
１つの例において、物理層は、キャリア毎に第１の閾値数の“同期中”の指示を送ることができる。異なるキャリア上のリンクは、図７に関して上述される手順を使用することによってのように、個々に確立される。一旦確立されると、データは、確立されたキャリアリンクの何れかの上で送られることができる。
【００５２】
別の例において、物理層は、各々のキャリアのために“同期中”の指示を再び送る。しかしながら、リンクは、キャリアの全てが第２の閾値数、Ｎの“同期中”の指示各々の受領を満足させたときにのみ確立されたと考えられる。すなわち、キャリアアップリンクの何れかがＮの“同期中”の指示を受信しなかった場合にはデータは送られないことができる。
【００５３】
別の例において、物理層は、各々のキャリアのために“同期中”の指示を再び送る。しかしながら、リンクは、キャリアの全てが全体で第３の閾値数、Ｍの“同期中”の指示の受領を満足させるときにのみ確立されたと考えられる。すなわち、データが送られる前、全てのキャリアによって受信された“同期中”の指示の全体の数はＭに等しい。
【００５４】
別の例において、物理層は、アンカーキャリアのみのために“同期中”の指示を送ることができる。上述された単一のキャリア物理チャネル確立によりアンカーキャリアが確立されたと考えられるとき、リンクは確立されたと考えられる。
【００５５】
いくつかの例において、アップリンク上のトラフィックは、ダウンリンク通信リンクが確立されるまで送られない。更に、通信リンクのポスト検証は、通信リンクがデータ送信のために確立されと最初に仮定された場合にいくつかの例において用いられることができ、パイロット信号同期等をチェックすることによって単にその後に検証されることができる。従って、通信リンクの検証は、データが送られたまたは受信された後に実行されることができる。
【００５６】
電力制御
信号伝達無線ベアラは、共通制御チャネル（ＣＣＣＨ）及び専用制御チャネル（ＤＣＣＨ）上でＲＲＣによる使用のために利用可能な無線ベアラ（ＲＢ）を表す。改良された専用チャネル（Ｅ−ＤＣＨ）は、ＵＭＴＳのリリース５中に取り入れられた高いデータレートアップリンクチャネルである。Ｅ−ＤＣＨは、ＵＭＴＳプロトコルに従って、改良された制御部分（例えば、Ｅ−ＤＣＨ専用物理制御チャネル（Ｅ−ＤＰＣＣＨ））及び改良されたデータ部分（例えば、Ｅ−ＤＣＨ専用物理データチャネル（Ｅ−ＤＰＤＣＨ））を含む。２つの他の制御チャネル、Ｅ−ＤＣＨアップリンク制御チャネル（Ｅ−ＵＣＣＨ）及びＥ−ＤＣＨランダムアクセスアップリンク制御チャネル（Ｅ−ＲＵＣＣＨ）はまた、アップリンク強化と関係のある信号伝達メッセージを送るために使用されることができる。図８は、一例の電力制御手順を例証する。情報要素（ＩＥ）“信号無線ベアラ（ＳＲＢ）遅延”及びＩＥ“ＰＣプリアンブル”が同期手順Ａ及び改良された専用物理チャネル（Ｅ−ＤＰＣＨ）またはアップリンク専用物理チャネル（ＤＰＣＨ）の構成に帰着するメッセージにおいて受信されるとき（ステップ８０５）、ＵＥ１２３−１２７は、可変のＬＡＴＥＳＴ＿ＣＯＮＦＩＧＵＲＥＤ＿ＳＲＢ＿ＤＥＬＡＹ＿ＡＮＤ＿ＰＣ＿ＰＲＥＡＭＢＬＥ中に受信されたＩＥ“ＳＲＢ遅延”及びＩＥ“ＰＣプリアンブル”を記憶する（ステップ８１０）。ＵＥ１２３−１２７は、ＩＥ“ＰＣプリアンブル”中に示されるフレームの数の間、電力制御プリアンブルをそのとき適用する（ステップ８１５）。ＵＥ１２３−１２７は、ＩＥ“ＳＲＢ遅延”中に示されるフレームの数の間、または物理チャネルが確立されたと考えられていない間、信号伝達無線ベアラＲＢ０〜ＲＢ４上でそのとき少しもデータを送らない（ステップ８２０）。
【００５７】
上述された手順は、並行してまたは連続的に、どちらか一方で多重キャリアシステムの各々のキャリア上で繰り返されることができる。並行して、同じ手順は、同じ数のフレームのために、各々のキャリア上で適用される。順に、第２のキャリアのために実行される手順は、第１のものの終わりの後（新しい固定値の後、または既に存在する“ＰＣプリアンブル”パラメータの後のどちらか一方）に開始する。
【００５８】
無線リンク障害
図９は、ＲＬＦ基準に従って無線リンク障害（ＲＬＦ）を決定するため、及び無線リンク障害に応答するためのフロー図を例証する。ＣＥＬＬ＿ＤＣＨ状態において、ＴＤＤ中のマッピングされたＤＣＣＨと関連づけられた物理チャネル及びＦＤＤ中の確立されたＤＰＣＣＨまたはＦ−ＤＰＣＨ物理チャネルのために層１（すなわち、物理層）からの第１の閾値数、Ｎ３１３、の連続する“同期外”の指示を受信した（ステップ９０５）後に、ＵＥ１２３−１２７は、タイマＴ３１３を開始する（ステップ９１０）。
【００５９】
層１から第２の閾値数、Ｎ３１５、の連続する“同期中”の指示を受信する際、及びＵＥ状態の変化の際（ステップ９１５）、ＵＥ１２３−１２７は、タイマＴ３１３を停止及びリセットする（ステップ９２０）。Ｔ３１３が終了する（ステップ９２５）場合、ＵＥ１２３−１２７は、“無線リンク障害”を引き起こす（ステップ９３０）。
【００６０】
“同期中”と“同期外”のどちらも層１によって報告されていない時間内の期間は、連続する（それぞれ連続する）“同期中”または“同期外”の指示の数の評価に影響を与えない。１．２８ＭｃｐｓＴＤＤのために、様々なＥ＿ＤＣＨ＿ＴＲＡＮＳＭＩＳＳＩＯＮがＴＲＵＥに設定され、ＵＥ１２３−１２７がＩＥ“Ｅ−ＲＵＣＣＨ情報”を記憶したとき、“無線リンク障害”は、下に記述されるように引き起こされる。
【００６１】
Ｅ−ＲＵＣＣＨ送信カウンタが第３の閾値、Ｎ＿ＲＵＣＣＨを超える場合（ステップ９３５）、Ｔ−ＲＵＣＣＨ期間のＮ−ＲＵＣＣＨ時間の値を備える別のヒステリシスタイマが開始される（ステップ９４０）。ヒステリシスタイマが終了し、最後のＥ−ＲＵＣＣＨ送信から全体の時間分の間にまだ許可が受信されていない（ステップ９４５）とき、“無線リンク障害”として考えられる（ステップ９５０）。
【００６２】
ＣＥＬＬ＿ＤＣＨ状態中のＦＤＤのために及びＴＤＤにおいて無線リンク障害が生じるとき、ＵＥ１２３−１２７は、専用物理チャネル構成をクリアし、進行中の手順のために明示されるように動作を実行する。手順が進行中でないまたは動作が進行中の手順のために明示されていない場合、ＵＥ１２３−１２７は、原因“無線リンク障害”を使用してセルの更新手順を実行することができる。
【００６３】
別のＲＲＣ状態は、Ｃｅｌｌ＿ＦＡＣＨ状態である。Ｃｅｌｌ＿ＦＡＣＨ状態は、専用チャネルを使用せず、及び順方向アクセスチャネル（ＦＡＣＨ）によって特徴づけられる。これは、より低いアップリンク及びダウンリンクスループットの費用でよりよい電力消費を許可する。ＦＤＤのために、ＣＥＬＬ＿ＦＡＣＨ状態及びアイドルモードにおいて、ＣＥＬＬ＿ＦＡＣＨ状態中の改良されたアップリンクと併せて、物理層送信がＤＬ同期外によって引き起こされて停止した層１から指示を受信した後、ＵＥ１２３−１２７は、“無線リンク障害”としてそれを考慮することができる。
【００６４】
１つの実施形態において、無線リンク障害は、（チャネル品質インジケータ（ＣＱＩ）及び肯定応答（ＡＣＫ）フィードバックチャネルを持つ、ＨＳ−ＤＰＣＣＨのような）制御フィードバックチャネルを備えるアンカーキャリア上で図９に関して上述されたように定義されることができる。ＵＥ１２３−１２７がこのキャリア上で失敗する場合、ＵＥ１２３−１２７は、それをこのキャリアによって運搬される制御及びフィードバックに依存しているキャリアのグループに対する“無線リンク障害”と考えるかもしれない。これが失われるべき唯一のまたは最後のアンカーキャリアである場合、“無線リンク障害”は、コールのために宣言されるかもしれない。
【００６５】
別の実施形態において、多数のキャリアのための無線リンク障害は、キャリアの全てがＲＬＦ障害状態を満足させるときにのみ“無線リンク障害”を宣言するために修正されることができる。アンカーキャリアが失敗した場合、ＵＥ１２３−１２７は、任意の関連づけられた二次キャリアをまだ維持することができる一方で、アンカーキャリアを再確立することを試みる。アンカーキャリアが与えられた期間内に再確立されることができない場合、“無線リンク障害”は、コールのために最後に宣言されるかもしれない。
【００６６】
図１０は、多数のキャリアのための一例の修正された無線リンク障害手順を例証する。ＣＥＬＬ＿ＤＣＨ状態において、ＴＤＤ中のマッピングされたＤＣＣＨと関連づけられた物理チャネル及びＦＤＤ中の確立されたＤＰＣＣＨまたはＦ−ＤＰＣＨ物理チャネルのために層１（すなわち、物理層）からのＮ３１３の連続する“同期外”の指示を受信した（ステップ１００５）後に、ＵＥ１２３−１２７は、タイマＴ３１３を開始する（ステップ１０１０）。層１からＮ３１５の連続する“同期中”の指示を受信する際、及びＵＥ状態の変更の際（ステップ１０１５）、ＵＥ１２３−１２７は、タイマＴ３１３を停止及びリセットする（ステップ１０２０）。Ｔ３１３が終了する（ステップ１０２５）場合、ＵＥ１２３−１２７は、それを“無線リンク障害”と考える（ステップ１０３０）。“同期外”及び“同期中”の指示は、アンカーキャリアの何れかのために、または非アンカーキャリアの何れかから受信されることができる。
【００６７】
情報及び信号は、様々な異なるテクノロジー及び技術の何れかを使用して表されることができる。例えば、上の記述の至る所で言及されるかもしれないデータ、命令、コマンド、情報、信号、ビット、シンボル、及びチップは、電圧、電流、電磁波、磁場または磁性粒子、光場または光粒子、またはその任意の組合せによって表されることができる。
【００６８】
ここに開示された例に関して記述された様々な実例となる論理ブロック、モジュール、回路、及びアルゴリズムステップは、電子ハードウェア、コンピュータソフトウェア、または両方の組み合わせとして実現されることができる。ハードウェア及びソフトウェアのこの互換性を明瞭に例証するために、様々な実例となる構成要素、ブロック、モジュール、回路、及びステップは、それらの機能性の点で一般に上述されている。このような機能性がハードウェアまたはソフトウェアとして実現されるかどうかは、システム全体状に課された設計制約及び特定のアプリケーションに依存する。記述された機能性は、各々の特定のアプリケーションのために様々な方法において実現されることができるが、このような実現の決定は、本開示及び特許請求の範囲からの逸脱を引き起こすとして解釈されるべきではない。
【００６９】
ここに開示された例に関して記述された様々な実例となる論理ブロック、モジュール、及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェア構成要素、またはここに記述された機能を実行するように設計されたこれらの組み合わせとともに実現または実行されることができる。汎用プロセッサは、マイクロプロセッサであることができるが、代わりに、プロセッサは、従来のプロセッサ、コントローラ、マイクロコントローラ、または状態機器であることができる。プロセッサはまた、例えばＤＳＰ及びマイクロプロセッサの組み合わせ、多数のマイクロプロセッサ、ＤＳＰコアと併せた１つ以上のマイクロプロセッサ、または任意の他のこのような構成である計算デバイスの組み合わせとして実現されることができる。
【００７０】
ここに開示された例に関して記述されたアルゴリズムまたは方法のステップは、ハードウェアにおいて、プロセッサによって実行されるソフトウェアモジュールにおいて、またはその２つの組み合わせにおいて直接具現化されることができる。ソフトウェアモジュールは、ランダムアクセスメモリ（ＲＡＭ）、フラッシュメモリ、リードオンリーメモリ（ＲＯＭ）、電気的にプログラム可能なＲＯＭ（ＥＰＲＯＭ）、電気的消去可能ＲＯＭ（ＥＥＰＲＯＭ）、レジスタ、ハードディスク、リムーバブルディスク、ＣＤ−ＲＯＭ、または任意の他の形式の記憶媒体に存することができる。典型的な記憶媒体は、プロセッサが記憶媒体から情報を読む及び記憶媒体に情報を書くことができるようにプロセッサに連結される。代わりに、記憶媒体は、プロセッサに不可欠であるかもしれない。プロセッサ及び記憶媒体は、ＡＳＩＣに存する。ＡＳＩＣは、ユーザ端末に存する。代わりに、プロセッサ及び記憶媒体は、ユーザ端末中のディスクリート構成要素として存在することができる。
【００７１】
１つ以上の典型的な例において、記述された機能は、ハードウェア、ソフトウェア、ファームウェア、またはその任意の組み合わせにおいて実現されることができる。ソフトウェアにおいて実現される場合、機能は、コンピュータ読み取り可能媒体上の１つ以上の命令またはコードとして記憶または送信されることができる。コンピュータ読み取り可能媒体は、１つの場所から別の場所へのコンピュータプログラムの転送を容易にする任意の媒体を含む通信媒体及びコンピュータ記憶媒体の両方を含む。記憶媒体は、コンピュータによってアクセスされることができる任意の利用可能な媒体であることができる。制限でなく例として、このようなコンピュータ読み取り可能媒体は、ＲＡＭ、ＲＯＭ、ＥＥＰＲＯＭ、ＣＤ−ＲＯＭまたは他の光ディスク記憶装置、、磁気ディスク記憶装置または他の磁気記憶デバイス、または命令またはデータ構造の形式において望まれるプログラムコードを搬送または記憶するために使用されることができ、コンピュータによってアクセスされることができる任意の他の媒体を備えることができる。また、任意の接続は、コンピュータ読み取り可能媒体と適切に称される。例えば、ソフトウェアがウェブサイト、サーバ、または同軸ケーブル、光ファイバケーブル、ツイストペア、デジタル加入者線（ＤＳＬ）、または赤外線、無線、及びマイクロ波のような無線技術を使用する他の遠隔ソースから送信される場合、同軸ケーブル、光ファイバケーブル、ツイストペア、ＤＳＬ、または赤外線、無線、及びマイクロ波のような無線技術は、媒体の定義中に含まれる。ディスク（disk）及びディスク（disc）は、ここに用いられるように、コンパクトディスク（disc）（ＣＤ）、レーザディスク（disc）、光ディスク（disc）、デジタルバーサタイルディスク（disc）（ＤＶＤ）、フロッピー（登録商標）ディスク（disk）及びブルーレイディスク（disc）を含み、ディスク（disk）は通常磁気的にデータを再生するのに対し、ディスク（disc）はレーザによって光的にデータを再生する。上記の組み合わせもまた、コンピュータ読み取り可能媒体の範囲内に含まれる。
【００７２】
ここに用いられる用語は、特定の実施形態のみを記述する目的のためにあり、本発明の実施形態を制限することは意図されない。ここに使用されるように、単数形“ａ”、“ａｎ”及び“ｔｈｅ”は、文脈が別の方法で明瞭に示さない限り、同様に複数形を含むことを意図されている。用語“備える（comprises）”、“備えている（comprising）”、“含む（includes）”及び／または“含んでいる（including）”が、ここに使用されるとき、定まった特徴、完全体、ステップ、動作、要素、及び／または構成要素の存在を明示するが、１つ以上の他の特徴、完全体、ステップ、動作、要素、構成要素、及び／またはそのグループの存在または付加を排除しないということは更に理解されるであろう。
【００７３】
更に、多くの実施形態は、例えば、ここに開示される様々な要素（ＲＮＣ、ＭＳＣ、ノードＢ、ＵＥ等）の中に含まれる計算デバイスの要素によって実行されるべき動作のシーケンスの点で記述されている。ここに記述される様々な動作が特定回路（例えば、特定用途向け集積回路（ＡＳＩＣ））によって、１つ以上のプロセッサによって実行されるプログラム命令によって、または両方の組み合わせによって実行されることができるということは認識されるであろう。加えて、ここに記述される動作のこれらのシーケンスは、実行上で関連づけられたプロセッサにここに記述された機能性を実行させる対応する組のコンピュータ命令をそこに記憶しているコンピュータ読み取り可能媒体の任意の形式内で完全に具体化されると考えられることができる。このように、本発明の様々な観点は、多くの異なる形式、要求される対象の範囲内にあると熟考されているそれら全てにおいて具体化されることができる。加えて、ここに記述される実施形態の各々のために、任意のこのような実施形態の対応する形式は、例えば、記述された動作を実行する“ように構成されたロジック”としてここに記述されることができる。
【００７４】
前の記述は、当業者に開示された方法及び装置を作成または使用することを可能にさせるために提供される。これらの方法及び装置の様々な変形例は当業者に容易に明白であり、ここに定義される一般原理は記述または特許請求の範囲の精神または範囲から逸脱することなく他の例に適用されることができる。このように、特許請求の範囲は、ここに示された例に制限されることは意図されてないが、ここに開示された原理及び新しい特徴と矛盾のない最も広い範囲を与えられるべきである。
【００７５】
それゆえ、本開示は、後に続く特許請求の範囲に従う以外は制限されるべきではない。
以下に、本願出願時の特許請求の範囲に記載された発明を付記する。
〔１〕アンカーキャリア及び１つ以上の関連づけられた二次キャリアを形成するために少なくとも２つのキャリアから１つのキャリア上に制御機能を集めることと、
前記アンカーキャリア及び各々の二次キャリアのために通信リンクを確立することと、
前記アンカーキャリアに基づいて通信を制御することと
を備える、多重キャリア無線通信システムにおける無線リンクを制御する方法。
〔２〕前記通信リンクを確立することは、
前記二次キャリアのために任意の通信リンクを確立する前に前記アンカーキャリアのために通信リンクを確立すること
を備える、前記〔１〕に記載の方法。
〔３〕前記通信リンクを確立することは、
前記キャリアのために第１の閾値数の物理層の“同期中”の指示を受信することによって各々のキャリアを物理チャネルと個々に同期させること、前記第１の閾値数の“同期中”の指示が前記キャリアのために受信されたときに各々の通信リンクは確立される、と
を備える、前記〔１〕に記載の方法。
〔４〕任意の確立されたキャリア上でデータを受信することを更に備える、前記〔３〕に記載の方法。
〔５〕第２の閾値数の“同期中”の指示が前記キャリアの各々のために受信された後にのみ任意の確立されたキャリア上でデータを受信することを更に備える、前記〔３〕に記載の方法。
〔６〕第２の閾値数の“同期中”の指示が全体で全ての前記キャリアのために受信された後にのみ任意の確立されたキャリア上でデータを受信することを更に備える、前記〔３〕に記載の方法。
〔７〕前記通信リンクを確立することは、
前記アンカーキャリアのために第１の閾値数の物理層“同期中”の指示を受信することによって前記アンカーキャリアを物理チャネルと同期させること
を備える、前記〔１〕に記載の方法。
〔８〕前記二次キャリアの１つ以上の通信リンクは、前記第１の閾値数の“同期中”の指示が前記アンカーキャリアのために受信されたときに確立される、前記〔７〕に記載の方法。
〔９〕前記通信リンクの全ては、前記第１の閾値数の“同期中”の指示が前記アンカーキャリアのために受信されたときに確立される、前記〔７〕に記載の方法。
〔１０〕前記アンカーキャリア通信リンクに従って前記アンカーキャリアのために無線リンク障害を評価することを更に備える、前記〔１〕に記載の方法。
〔１１〕無線リンク障害を評価することは、
連続する物理層の“同期中”の指示のために前記アンカーキャリア通信リンクを監視することと、
閾値数の連続する物理層の“同期中”の指示が与えられた期間内に受信されない場合、前記アンカーキャリアのために無線リンク障害を引き起こすことと
を備える、前記〔１０〕に記載の方法。
〔１２〕前記アンカーキャリアのための前記無線リンク障害評価に従って前記関連づけられた二次キャリアのために無線リンク障害を評価することを更に備える、前記〔１０〕に記載の方法。
〔１３〕前記アンカーキャリアのために無線リンク障害を宣言することと、
前記二次キャリア通信リンクのうちの少なくとも１つを維持することと
を更に備える、前記〔１０〕に記載の方法。
〔１４〕前記少なくとも１つの二次キャリア通信リンクを維持する間、前記アンカーキャリア通信リンクを再確立することを試みることを更に備える、前記〔１３〕に記載の方法。
〔１５〕前記再確立が前記アンカーキャリア通信リンクに対して失敗する場合、全ての関連づけられた二次キャリア通信リンクのために無線リンク失敗を宣言することを更に備える、前記〔１４〕に記載の方法。
〔１６〕信号伝達無線ベアラ（ＳＢＲ）遅延及び電力制御（ＰＣ）プリアンブルを各々のキャリアのために受信することと、
前記対応するキャリアのために前記ＰＣプリアンブル中に示されたフレームの数の間に前記ＰＣプリアンブルを適用することと、
前記対応するキャリアのために前記ＳＢＲ遅延中に示されたフレームの数の間にデータを送ることを控えることと
を更に備える、前記〔１〕に記載の方法。
〔１７〕プロセッサと、
アンカーキャリア及び１つ以上の関連づけられた二次キャリアを形成するために少なくとも２つのキャリアから１つのキャリア上に制御機能を集め、
前記アンカーキャリア及び各々の二次キャリアのために通信リンクを確立し、
前記アンカーキャリアに基づいて通信を制御する
ための命令でプログラムされた前記プロセッサと電子通信するメモリと
を備える、多重キャリア無線通信システムにおける無線リンクを制御する装置。
〔１８〕前記通信リンクを確立するための前記命令は、
前記二次キャリアのために任意の通信リンクを確立する前に前記アンカーキャリアのために通信リンクを確立するための命令
を備える、前記〔１７〕に記載の装置。
〔１９〕前記通信リンクを確立するための前記命令は、
前記キャリアのために第１の閾値数の物理層の“同期中”の指示を受信することによって各々のキャリアを物理チャネルと個々に同期させるための命令、前記第１の閾値数の“同期中”の指示が前記キャリアのために受信されたときに各々の通信リンクは確立される、
を備える、前記〔１７〕に記載の装置。
〔２０〕任意の確立されたキャリア上でデータを受信するための命令を更に備える、前記〔１９〕に記載の装置。
〔２１〕前記通信リンクを確立するための前記命令は、
前記アンカーキャリアのために前記第１の閾値数の物理層の“同期中”の指示を受信することによって前記アンカーキャリアを物理チャネルと同期させるための命令
を備える、前記〔１７〕に記載の装置。
〔２２〕前記二次キャリアの１つ以上の通信リンクは、前記第１の閾値数の“同期中”の指示が前記アンカーキャリアのために受信されたときに確立される、前記〔２１〕に記載の装置。
〔２３〕前記アンカーキャリア通信リンクに従って前記アンカーキャリアのために無線リンク障害を評価するための命令を更に備える、前記〔１７〕に記載の装置。
〔２４〕前記アンカーキャリアのための前記無線リンク障害評価に従って前記関連づけられた二次キャリアのために無線リンク障害を評価するための命令を更に備える、前記〔２３〕に記載の装置。
〔２５〕前記アンカーキャリアのために無線リンク障害を宣言するための命令と、
前記二次キャリア通信リンクのうちの少なくとも１つを維持するための命令と
を更に備える、前記〔２３〕に記載の装置。
〔２６〕アンカーキャリア及び１つ以上の関連づけられた二次キャリアを形成するために少なくとも２つのキャリアから１つのキャリア上に制御機能を集める手段と、
前記アンカーキャリア及び各々の二次キャリアのために通信リンクを確立する手段と、
前記アンカーキャリアに基づいて通信を制御する手段と
を備える、多重キャリア無線通信システムにおける無線リンクを制御する装置。
〔２７〕前記通信リンクを確立する前記手段は、
前記二次キャリアのために任意の通信リンクを確立する前に前記アンカーキャリアのために通信リンクを確立する手段
を更に備える、前記〔２６〕に記載の装置。
〔２８〕前記通信リンクを確立する前記手段は、
前記キャリアのために第１の閾値数の物理層の“同期中”の指示を受信することによって各々のキャリアを物理チャネルと個々に同期させる手段、前記第１の閾値数の“同期中”の指示が前記キャリアのために受信されたときに各々の通信リンクは確立される、
を備える、前記〔２６〕に記載の装置。
〔２９〕任意の確立されたキャリア上でデータを受信する手段を更に備える、前記〔２８〕に記載の装置。
〔３０〕前記通信リンクを確立する前記手段は、
前記アンカーキャリアのために第１の閾値数の物理層の“同期中”の指示を受信することによって前記アンカーキャリアを物理チャネルと同期させる手段
を備える、前記〔２６〕に記載の装置。
〔３１〕前記二次キャッリアの１つ以上の通信リンクは、前記第１の閾値数の“同期中”の指示が前記アンカーキャリアのために受信されたときに確立される、前記〔３０〕に記載の装置。
〔３２〕前記アンカーキャリア通信リンクに従って前記アンカーキャリアのために無線リンク障害を評価する手段を更に備える、前記〔２６〕に記載の装置。
〔３３〕前記アンカーキャリアのための前記無線リンク障害評価に従って前記関連づけられた二次キャリアのために無線リンク障害を評価する手段を更に備える、前記〔３２〕に記載の装置。
〔３４〕前記アンカーキャリアのために無線リンク障害を宣言する手段と、
前記二次キャリア通信リンクのうちの少なくとも１つを維持する手段と
を更に備える、前記〔３２〕に記載の装置。
〔３５〕コンピュータにアンカーキャリア及び１つ以上の関連づけられた二次キャリアを形成するために少なくとも２つのキャリアから１つのキャリア上に制御機能を集めさせるためのコードと、
コンピュータに前記アンカーキャリア及び各々の二次キャリアのために通信リンクを確立させるためのコードと、
コンピュータに前記アンカーキャリアに基づいて通信を制御させるためのコードと
を備えるコンピュータ読み取り可能記憶媒体を備える、多重キャリア無線通信システムにおける無線リンクを制御するためのコンピュータプログラム製品。
〔３６〕コンピュータに前記通信リンクを確立させるための前記コードは、
前記二次キャリアのために任意の通信リンクを確立する前に前記アンカーキャリアのために通信リンクを確立するためのコード
を備える、前記〔３５〕に記載のコンピュータプログラム製品。
〔３７〕コンピュータに前記通信リンクを確立させるための前記コードは、
前記キャリアのために第１の閾値数の物理層の“同期中”の指示を受信することによって各々のキャリアを物理チャネルと個々に同期させるためのコード、前記第１の閾値数の“同期中”の指示が前記キャリアのために受信されたときに各々の通信リンクは確立される、
を備える、前記〔３５〕に記載のコンピュータプログラム製品。
〔３８〕コンピュータに任意の確立されたキャリア上でデータを受信させるためのコードを更に備える、前記〔３６〕に記載のコンピュータプログラム製品。
〔３９〕コンピュータに前記通信リンクを確立させるための前記コードは、
前記アンカーキャリアのために第１の閾値数の物理層の“同期中”の指示を受信することによって前記アンカーキャリアを物理チャネルと同期させるためのコード
を備える、前記〔３５〕に記載のコンピュータプログラム製品。
〔４０〕前記二次キャリアの１つ以上の通信リンクは、前記第１の閾値数の“同期中”の指示が前記アンカーキャリアのために受信されたときに確立される、前記〔３９〕に記載のコンピュータプログラム製品。
〔４１〕コンピュータに前記アンカーキャリア通信リンクに従って前記アンカーキャリアのために無線リンク障害を評価させるためのコードを更に備える、前記〔３５〕に記載のコンピュータプログラム製品。
〔４２〕コンピュータに前記アンカーキャリアのための前記無線リンク障害評価に従って前記関連づけられた二次キャリアのために無線リンク障害を評価させるためのコードを更に備える、前記〔４１〕に記載のコンピュータプログラム製品。
〔４３〕コンピュータに前記アンカーキャリアのために無線リンク障害を宣言させるためのコードと、
コンピュータに前記二次キャリア通信リンクのうちの少なくとも１つを維持させるためのコードと
を更に備える、前記〔４１〕に記載のコンピュータプログラム製品。
【図１】
0005628290.tif 000002
【図２】
0005628290.tif 000003
【図３】
0005628290.tif 000004
【図４】
0005628290.tif 000005
【図５】
0005628290.tif 000006
【図６】
0005628290.tif 000007
【図７】
0005628290.tif 000008
【図８】
0005628290.tif 000009
【図９】
0005628290.tif 000010
【図１０】
0005628290.tif 000011